【事件の表示】
　平成　６年特許願第１７３５１６号「ビデオカメラのノイズ除去装置」拒絶査定不服審判事件〔平成　８年　１月１９日出願公開、特開平　８−　１８８５２〕について、次のとおり審決する。
【結　論】
　本件審判の請求は、成り立たない。
【理　由】
【第１】経緯  
　
［１］手続き
 　本願は、平成６年７月１日の出願である。 
 　本件は、本願についてされた拒絶査定（平成１６年８月３１日付け）を不服とする平成１６年１０月７日の請求であり、同日平成１６年１０月７日付けで手続補正書（明細書及び図面について請求の日から３０日以内にする補正）が提出された。 
　
［２］査定
　
　原査定の理由は、概略、以下のとおりである。
　
 　本願の請求項１〜５に係る発明は、下記刊行物に記載された発明および周知技術に基づいて当業者が容易に発明をすることができたものであるから、特許法第２９条第２項の規定により、特許を受けることができない。 
 　　　　　記 
 　刊行物１：実願平０１−０３６７５２号（実開平０２−１２８４７２号）のマイクロフィルム 
 　刊行物２：特開平０５−１９１７１９号公報
 　刊行物３：特開平０４−３２９７７６号公報
 　 
【第２】平成１６年１０月７日付けの手続補正（以下、本件補正という。）について次の通り決定する。  
 　 
［補正却下の決定の結論］  
　
 　平成１６年１０月７日付けの手続補正を却下する。 
 　 
［理由］
　 
［１］本件補正の内容  
　
　本件補正は、本件補正前、平成１５年９月８日付け手続補正書記載の特許請求の範囲の
　「【請求項１】　撮像素子からの撮像信号を輝度信号とクロマ信号に分離するカメラ処理回路と、
　前記輝度信号の信号レベルを検出して露光制御信号を形成し、上記露光制御信号に応じてＡＧＣゲインを制御する露光制御回路と、
　上記輝度信号と上記クロマ信号のノイズを除去する第一及び第二のノイズリダクション回路とを有し、
　上記ＡＧＣゲインに対してノイズリダクションの深さを切り替えるパターンが、上記第一及び第二のノイズリダクション回路では異なる
ことを特徴とするビデオカメラのノイズ除去装置。
　　【請求項２】　上記カメラ処理回路は、上記クロマ信号に対して、上記露光制御信号に応じた色消し処理を行うようにしたことを特徴とする請求項１記載のビデオカメラのノイズ除去装置。
　　【請求項３】　上記カメラ処理回路は、上記輝度信号に対して、上記露光制御信号に応じたアパーチャ補正処理を行うようにしたことを特徴とする請求項１記載のビデオカメラのノイズ除去装置。
　　【請求項４】　第一のノイズリダクション回路は、分割された上記輝度信号の一方に対してノイズ成分として落とすべき帯域を設定し、小振幅成分を取り出す処理を施した後、分割された上記輝度信号の他方と演算してノイズを除去することを特徴とする請求項１記載のビデオカメラのノイズ除去装置。
　　【請求項５】　第二のノイズリダクション回路は、分割された上記クロマ信号の一方に対してデータレートを低減し、差分ノイズを取り出す処理を施した後、分割された上記クロマ信号の他方と演算してノイズを除去することを特徴とする請求項１記載のビデオカメラのノイズ除去装置。」
　
　の記載を、
　
　「【請求項１】
　撮像素子からの撮像信号を輝度信号とクロマ信号に分離するカメラ処理回路と、
　前記輝度信号の信号レベルを検出して露光制御信号を形成し、上記露光制御信号に応じてＡＧＣゲインを制御する露光制御回路と、
　上記輝度信号と上記クロマ信号のノイズを除去する第一及び第二のノイズリダクション回路とを有し、
　上記第一のノイズリダクション回路は、
　上記カメラ処理回路から供給される輝度信号のノイズ成分として落とすべき帯域が設定されるフィルタと、
　上記フィルタから出力される信号のうち小振幅成分のみを取り出すリミッタと、
　上記リミッタから出力される信号のゲインを調整するアッテネータと、
　上記アッテネータから出力される信号と、上記カメラ処理回路から供給される輝度信号とを減算する減算回路と
　を備え、
　上記第二のノイズリダクション回路は、
　上記カメラ処理回路から供給されるクロマ信号のデータレートを落とす第一のフィルタと、
　上記第一のフィルタによりデータレートが落とされたクロマ信号が供給される第一の加算回路と、
　上記第一の加算回路から出力されるクロマ信号を遅延させるフィールドメモリと、
　上記フィールドメモリにより遅延されたクロマ信号と、上記第一のフィルタによりデータレートが落とされたクロマ信号とを減算する減算回路と、
　上記減算回路から出力される信号に対して、上記露光制御信号により設定された動き適応型の係数Ｋ１を掛けて上記第一の加算回路に供給する第一の係数乗算回路と、
　上記減算回路から出力される信号に対して、上記露光制御信号により設定された動き適応型の係数Ｋ２を掛ける第二の係数乗算回路と、
　上記第二の係数乗算回路から出力される信号のレベルを設定するアッテネータと、
　上記アッテネータによりレベル設定された信号をデータ補間する第二のフィルタと、
　上記第二のフィルタによりデータ補間された信号と、上記カメラ処理回路から供給されるクロマ信号とを加算して出力する第二の加算回路と
　を備え、
　上記ＡＧＣゲインが大きいほどノイズリダクションの深さがより深くするように上記第一および第二のノイズリダクション回路を制御することを特徴とするビデオカメラのノイズ除去装置。
　　【請求項２】
　所定のＡＧＣゲインを越えた場合に、上記クロマ信号に対して色消し処理を行うヒューゲイ回路と、
　所定のＡＧＣゲインを越えた場合に、上記輝度信号に対してアパーチャ補正を行うアパーチャ回路と
　をさらに備えることを特徴とする請求項１記載のビデオカメラのノイズ除去装置。」
　
と補正することを含むものである。
　
［２］本件補正の適合性
　
［２−１］補正の範囲（平成６年改正前特許法第１７条の２第２項） 
　
（１）補正後特許請求の範囲（補正後請求項１、２）に記載されている事項であって、補正前特許請求の範囲（補正前請求項１〜５）に記載されていない事項として　
　
　(i)補正後請求項１の「上記第一のノイズリダクション回路は、
　上記カメラ処理回路から供給される輝度信号のノイズ成分として落とすべき帯域が設定されるフィルタと、
　上記フィルタから出力される信号のうち小振幅成分のみを取り出すリミッタと、
　上記リミッタから出力される信号のゲインを調整するアッテネータと、
　上記アッテネータから出力される信号と、上記カメラ処理回路から供給される輝度信号とを減算する減算回路と
　を備え」（以下、構成要件(i)ともいう）
　(ii)補正後請求項１の「上記第二のノイズリダクション回路は、
　上記カメラ処理回路から供給されるクロマ信号のデータレートを落とす第一のフィルタと、
　上記第一のフィルタによりデータレートが落とされたクロマ信号が供給される第一の加算回路と、
　上記第一の加算回路から出力されるクロマ信号を遅延させるフィールドメモリと、
　上記フィールドメモリにより遅延されたクロマ信号と、上記第一のフィルタによりデータレートが落とされたクロマ信号とを減算する減算回路と、
　上記減算回路から出力される信号に対して、上記露光制御信号により設定された動き適応型の係数Ｋ１を掛けて上記第一の加算回路に供給する第一の係数乗算回路と、
　上記減算回路から出力される信号に対して、上記露光制御信号により設定された動き適応型の係数Ｋ２を掛ける第二の係数乗算回路と、
　上記第二の係数乗算回路から出力される信号のレベルを設定するアッテネータと、
　上記アッテネータによりレベル設定された信号をデータ補間する第二のフィルタと、
　上記第二のフィルタによりデータ補間された信号と、上記カメラ処理回路から供給されるクロマ信号とを加算して出力する第二の加算回路と
　を備え」（以下、構成要件(ii)ともいう）
　(iii)補正後請求項１の「上記ＡＧＣゲインが大きいほどノイズリダクションの深さがより深くするように上記第一および第二のノイズリダクション回路を制御すること」（以下、構成要件(iii)ともいう）　
　(iv)補正後請求項２の「所定のＡＧＣゲインを越えた場合に、上記クロマ信号に対して色消し処理を行うヒューゲイ回路と」（を備えること）（以下、構成要件(iv)ともいう）
　(v)補正後請求項２の「所定のＡＧＣゲインを越えた場合に、上記輝度信号に対してアパーチャ補正を行うアパーチャ回路とをさらに備えること」（以下、構成要件(iv)ともいう）
　の事項がある。
　
（２）上記(i)〜(iv)の事項について
　これらの事項は、願書に最初に添付した明細書の段落0024〜0037の記載に基づくものであるから、これらの事項は、願書に最初に添付した明細書又は図面に記載した事項の範囲内のものである。
　
（３）上記(v)の事項について
　上記事項(v)の「所定のＡＧＣゲインを越えた場合に、上記輝度信号に対してアパーチャ補正を行うアパーチャ回路」は、その場合以外の場合、すなわち、『所定のＡＧＣゲインを越えない場合には、上記輝度信号に対してアパーチャ補正を行わないもの』と解釈される。
　
　上記事項(v)に関連する記載として、願書に最初に添付した明細書の段落0030には、「更に、この露光制御信号ＳＡＥに基づいて、水平アパーチャ回路１５及び垂直アパーチャ回路１６でのアパーチャ補正量が設定される。また、この露光制御信号ＳＡＥから、撮像された輝度信号のレベルが非常に小さいことが検出されると、ヒューゲイン設定回路２８により、色が消される。すなわち、最大ＡＧＣゲインＡＧＣ　ＭＡＸ　ＧＡＩＮを越え、ノイズリダクションを深くかけてもＳ／Ｎ比が非常に低下する場合には、水平アパーチャ回路１５及び垂直アパーチャ回路１６でのエッジ強調が弱められると共に、ヒューゲイン設定回路２８により色が消し処理がなされる。」（段落0030）があり、
　同記載によれば、水平垂直両アパーチャ回路１５及び１６は、露光制御信号ＳＡＥに基づいて、アパーチャ補正量が設定されるものであり、輝度信号のレベルが非常に小さいことが検出され、最大ＡＧＣゲインＡＧＣ　ＭＡＸ　ＧＡＩＮを越えた場合に、水平垂直両アパーチャ回路でのエッジ強調が弱められるものではあるが、ＭＡＸ　ＧＡＩＮを超えない場合には、水平垂直両アパーチャ回路はエッジ強調が弱められない状態でアパーチャ補正が行われているものと理解されるから、『所定のＡＧＣゲインを越えない場合には、上記輝度信号に対してアパーチャ補正を行わないもの』ではない。
　したがって、段落0030には、上記事項(v)は記載されていない。
　また、願書に最初に添付した明細書または図面の他の箇所に、上記事項(v)が記載されていたものとも認められない。
　したがって、上記事項(v)は、願書に最初に添付した明細書または図面の範囲内の事項ではない。
  　
（４）まとめ
　以上のことから、上記事項(v)を含む請求項とする補正を含む本件補正は、願書に最初に添付した明細書又は図面に記載した事項の範囲内においてする補正ではなく、平成６年改正前特許法第１７条の２第２項の規定に適合しない。
　
［２−２］補正の目的（平成６年改正前特許法第１７条の２第３項第１号〜４号）
　
　　本件補正前各請求項と本件補正後各請求項を比較する。
　
（１）補正後請求項１についての補正
　
　（ａ）．補正前請求項２〜５はいずれも補正前請求項１を引用しているところ、補正前請求項１は、
　「第一のノイズリダクション回路」、
　「第二のノイズリダクション回路」、
　「ＡＧＣゲインに対してノイズリダクションの深さを切り替えるパターンが、上記第一及び第二のノイズリダクション回路では異なること」
　を構成要件として具備しているから、
　補正前請求項１〜５のいずれも、
　「第一のノイズリダクション回路」、
　「第二のノイズリダクション回路」、
　「ＡＧＣゲインに対してノイズリダクションの深さを切り替えるパターンが、上記第一及び第二のノイズリダクション回路では異なること」（以下、構成要件(VI)という）
　を構成要件として具備している。
　
　（ｂ）．補正後請求項１とする補正は、補正前請求項１〜５のいずれの請求項を補正元とする補正とみても、そのいずれの補正も、
　　（ｂ１）上記構成要件(i)及び(ii)を付加する補正事項、及び
　　（ｂ２）上記構成要件(VI)を上記構成要件(iii)と変更する補正事項、
を含むものである。
　
　〈上記補正事項（ｂ１）〉について
　　補正前請求項１〜５が構成要件として具備する「第一のノイズリダクション回路」、「第二のノイズリダクション回路」を限定し減縮するものとみることができる。
　
　〈上記補正事項（ｂ２）〉について
　上記補正後構成要件(iii)である「上記ＡＧＣゲインが大きいほどノイズリダクションの深さがより深くするように上記第一および第二のノイズリダクション回路を制御すること」は、
　上記補正前構成要件(VI)である「ＡＧＣゲインに対してノイズリダクションの深さを切り替えるパターンが、上記第一及び第二のノイズリダクション回路では異なること」の、ＡＧＣゲインに対するノイズリダクションの深さの制御を特定するものと認められるものの、
　上記補正前構成要件(VI)における「深さを切り替えるパターンが、上記第一及び第二のノイズリダクション回路では異なること」については記載がなく削除されている。
　すなわち、上記補正事項（ｂ２）は、上記補正前構成要件(VI)を減縮するものではない。
　また、この点につき、補正前請求項の１〜５のいずれの請求項にも記載がなく、特許請求の範囲の減縮を目的とするものとはいえない。
　また、上記補正事項（ｂ２）は、補正前請求項１〜５のいずれの請求項を補正元とする補正とみても、請求項の削除（第１７条の２第３項第１号），誤記の訂正（同項第３号），明りょうでない記載の釈明（同項第４号）のいずれを目的とするものでもないことは明らかである。
　
　（ｃ）．したがって、補正後請求項１とする補正は、上記補正事項（ｂ２）を含むものであるから、補正前請求項１〜５のいずれの請求項を補正元とする補正とみても、産業上の利用分野及び解決しようとする課題は同一である発明の構成に欠くことができない事項の範囲内において、その補正前発明の構成に欠くことができない事項を限定するものとはいえず、特許請求の範囲の減縮を目的とするものとはいえない。
　また、補正後請求項１とする補正は、補正前請求項１〜５のいずれの請求項を補正元とする補正とみても、請求項の削除（第１７条の２第３項第１号），誤記の訂正（同項第３号），明りょうでない記載の釈明（同項第４号）のいずれを目的とするものでもない。
　
（２）補正後請求項２についての補正
　補正後請求項２は補正後請求項１を引用するものであるから、上記（１）と同様の理由により、上記（１）でした「補正後請求項１とする補正」についての認定判断と同様に、補正後請求項２とする補正も、上記補正事項（ｂ２）を含む以上、いずれの補正前請求項を減縮するものでもなく、特許請求の範囲の減縮を目的とするものとはいえない。
　また、補正後請求項２とする補正は、補正前請求項１〜５のいずれの請求項を補正元とする補正とみても、請求項の削除（第１７条の２第３項第１号），誤記の訂正（同項第３号），明りょうでない記載の釈明（同項第４号）のいずれを目的とするものでもない。
　
（３）まとめ
　以上のことから、本件補正は、請求項の削除（第１７条の２第３項第１号）、特許請求の範囲の減縮（同項第２号）、誤記の訂正（同項第３号），明りょうでない記載の釈明（同項第４号）のいずれを目的とするものにも該当せず、平成６年改正前特許法第１７条の２第３項に適合しない。
　
［２−３］むすび（決定）
　以上、本件補正は、平成６年改正前特許法第１７条の２第２項の規定にも、同法１７条の２第３項の規定にも、適合しないので、特許法１５９条第１項において読み替えて準用する同法第５３条第１項の規定により却下すべきものである。
　
【第３】本願発明 
 　平成１６年１０月７日付けの手続補正は上記のとおり却下する。 
 　本願の請求項１から請求項５までに係る発明は、本願明細書及び図面（平成１５年９月８日付けの手続補正書により補正された明細書及び図面）の記載からみて、それぞれ、その特許請求の範囲の請求項１から請求項５までに記載した事項により特定されるとおりのものであるところ、そのうち、請求項１に係る発明（以下、本願発明ともいう）は、下記のとおりである。 
　 
　　　　　記（本願発明） 
  【請求項１】　撮像素子からの撮像信号を輝度信号とクロマ信号に分離するカメラ処理回路と、
　前記輝度信号の信号レベルを検出して露光制御信号を形成し、上記露光制御信号に応じてＡＧＣゲインを制御する露光制御回路と、
　上記輝度信号と上記クロマ信号のノイズを除去する第一及び第二のノイズリダクション回路とを有し、
　上記ＡＧＣゲインに対してノイズリダクションの深さを切り替えるパターンが、上記第一及び第二のノイズリダクション回路では異なる
ことを特徴とするビデオカメラのノイズ除去装置。
　
【第４】査定の検討 
　
［１］．引用刊行物の記載 
 　原査定の拒絶の理由に引用された刊行物１（実願平０１−０３６７５２号（実開平０２−１２８４７２号）のマイクロフィルム）には、以下の記載が認められる。
　
　(K1)「撮像素子からの撮像信号がＡＧＣアンプを介して信号処理回路に供給されるようにしたビデオカメラにおいて、
  上記ＡＧＣアンプの後段にノイズ除去回路を配し、このノイズ除去回路のノイズ除去効果を低照度程強くすることを特徴とするビデオカメラ。」（実用新案登録請求の範囲）
　
　(K2)「同図において、１は撮像素子、例えばＣＣＤ固体撮僚素子であり、この撮像素子１からの撮像信号はＡＧＣアンプ２を介してプロセス回路３に供給されて、このプロセス回路より輝度信号Ｙおよび色差信号Ｒ−Ｙ，、Ｂ−Ｙが出力される。」（3頁15行〜同頁19行）
　
　(K3)「また、ＡＧＣアンプ２の出力信号はレベル検出器７に供給され、その検出信号はアンプ８を介してＡＧＣアンプ２にＡＧＣ制御信号CSAGCとして供給される。このＡＧＣ制御信号 CSAGCは、第２図に示すように、推奨照度以下で大きくなる。これによりＡＧＣ　アンプ２は推奨照度以下で動作して、ＡＧＣアンプ２の出力信号のレベルが一定となるように制御される。なお、２ａは ＡＧＣアンプ２の最大ゲインを設定するためのポテンシショメータである。」（4頁8行〜同頁17行）
　
　(K4)「また、プロセス回路３より出力される輝度信号Ｙはγ補正回路９およびアンプ１０の直列回路を介してエンコーダ２３に入力される。ここで同期信号が付加された輝度信号Ｙは Ａ／Ｄ変換器１１に供給されてディジタル信号に変換されたのちノイズ除去回路１２に供給される。」（4頁18行〜5頁3行）
　
　(K5)「また、アンプ８より出力されるＡＧＣ制御信号CSAGCは照度データとしてレベル検出器１３に供給され、その検出信号はマイコンを有してなるコントローラ１４に供給される。このレベル検出器１３は、例えば第３図に示すように構成される。
　同図において、入力端子１３１ａ〜１３１ｃには、コントローラ１４より３ビットのレベルデータ信号SLが供給される。このレベルデ−タ信号SLは重み付け抵抗およびブリーダ抵抗でもって加算され、接続点Ｐには、第４図に示すような基準電圧ＲＥＦが得られ,る。つまり、接続点Ｐには、８フィールド（約１３０msec）をかけて０レベル〜７レベルに段階的に変化すると共に、これが３回連続する基準電圧ＲＥＦが得られる。
　また、入力端子１３２にはＡＧＣ制御信号 CSAGCが供給され、このＡＧＣ制御信号 CSAGCはコンパレータ１３３に供給されて接続点Ｐより供給きれる基準電圧ＲＥＦと比較される。そして、このコンパレータ１３３からの比較出力信号SCは出力端子１３４に出力される。
　このようにコントローラ１４よりレベル検出器１３にはレベルデータ信号SLが供給されると共に、これに対応してレベル検出器１３よりコントローラ１４には比較出力信号SCが供給されるので、コントローラ１４ではＡＧＣ制御信号 CSAGCのレベルが３回連続して検出され、その平均値がそのときの照度とされる。
　上述したノイズ除去回路１２の係数器１２ｆの係数、したがってノイズ除去効果は、このように検出された照度に基づきコントローラ１４によって制御される。例えば、ＡＧＣ制御信号 CSAGCのレベルの平均値が０〜１レベル、２〜３レベル、４〜５レベルおよび６〜７レベルのとき、それぞれノイズ除去効果は弱、中、強および最強とされる。」（6頁13行〜8頁7行）
　
　(K6)「また、プロセス回路３より出力される色差信号Ｒ−Ｙ、Ｂ−Ｙはエンコーダ２３にて直角二相変調された後、色信号 C（色副搬送波周波数は、例えば ３．５８MHz）として出力される。この色信号 C は Ａ／Ｄ変換器１７でディジタル信号に変換されたのち、色復調回路１８に供給され、この色復調回路１８からは色差信号Ｒ−Ｙ、Ｂ−Ｙが点順次で出力される。
　この色復調回路１８からの色差信号Ｒ−Ｙ、Ｂ−Ｙはノイズ除去回路１９に供給される。このノイズ除去回路１９は、上述したノイズ除去回路１２と同様に構成され、その係数器の係数はコントローラ１４によって同様に制御される。」（8頁10行〜9頁3行）
　
 ［２］．対比（対応関係） 
　本願発明と刊行物１記載の発明（以下、「引用発明」ともいう）とを対比すると、次のことが認められる。 
　
（ａ）本願発明は、全体を「ビデオカメラのノイズ除去装置」の発明としているところ、前掲(K1)によれば、刊行物１にも、ノイズ除去回路を有するビデオカメラの構成が開示されており、このことから、引用発明として、本願発明と同様、全体を「ビデオカメラのノイズ除去装置」といい得る発明を認定することができる。
　
（ｂ）本願発明の「撮像素子からの撮像信号を輝度信号とクロマ信号に分離するカメラ処理回路」について、該「クロマ信号」は、明細書の段落0016，0018、図１の記載に照らせば、その具体は色差信号を意味しており、色差信号を含んでいるものであることは明らかであるところ、
　引用発明でも、前掲(K2)によれば撮像素子からの撮像信号はＡＧＣアンプ２を介してプロセス回路３より輝度信号Ｙおよび色差信号Ｒ−Ｙ、Ｂ−Ｙが出力されており、
　引用発明の「プロセス回路３」は、本願発明の上記「撮像素子からの撮像信号を輝度信号とクロマ信号に分離するカメラ処理回路」に相当するといい得るものである。
　
（ｃ）本願発明の「露光制御回路」は、「前記輝度信号の信号レベルを検出して露光制御信号を形成し、上記露光制御信号に応じてＡＧＣゲインを制御する」とされているところ、
　同「露光制御信号」は、明細書の段落0014，0022に照らしてその具体をみると，撮像信号のレベルを調節するサンプルホールド及びＡＧＣ回路５のゲインを制御するための信号であることは明らかであり、同ゲインは、被写体照度に応じて制御されるとされ（段落0014）、その制御信号が検波回路２４の出力信号である「露光制御信号ＳＡＥ」であるとされているのであるから、
『撮像信号のレベルを調節するＡＧＣのゲイン制御用の信号であって被写体照度を示す信号』といえる。
　引用発明でも、これに対応する回路として、「レベル検出器７」と「アンプ８」を具備しており、
　前掲(K3)によれば、これらの回路は、ＡＧＣアンプ２からの出力信号（輝度信号とクロマ信号に分離する前の撮像信号）がレベル検出器７に供給され、その検出信号はアンプ８を介して撮像信号のレベルを調節するＡＧＣアンプ２に対しＡＧＣ制御信号CSAGCを供給し、同制御信号CSAGCに応じてＡＧＣアンプ２のＡＧＣゲインを制御するように動作する回路であることは明らかであって、これらの回路は、撮像信号のレベルを調節するＡＧＣのゲイン制御信号であるＡＧＣ制御信号CSAGCを形成し、このＡＧＣ制御信号CSAGCに応じてＡＧＣゲインを制御する回路といえるところ、
　前掲(K5)の「ＡＧＣ制御信号CSAGCは照度データとしてレベル検出器１３に供給され」によれば、同制御信号CSAGCは、被写体照度を示す信号でもあるといい得るから、
　「ＡＧＣ制御信号CSAGC」は、本願発明の「露光制御信号」と同様、『撮像信号のレベルを調節するＡＧＣのゲイン制御用の信号であって被写体照度を示す信号』といい得る信号である。
　そうすると、「レベル検出器７」と「アンプ８」を合わせた回路は、本願発明でいう「露光制御信号」なる用語を用いて、「信号レベルを検出して露光制御信号を形成し、上記露光制御信号に応じてＡＧＣゲインを制御する」回路ということができ、この点においては本願発明の上記「露光制御回路」と変わりはなく、また、このような回路を「露光制御回路」と称しても支障はない。
　そうすると、ＡＧＣゲインを制御する制御信号形成のために検出する信号レベルが、輝度信号の信号レベルか、輝度信号とクロマ信号に分離する前の撮像信号の信号レベルかであるかの点を別にすれば、引用発明も上記本願発明と同様の「露光制御回路」を備えているといえる。
　
（ｄ）本願発明では、「上記輝度信号と上記クロマ信号のノイズを除去する第一及び第二のノイズリダクション回路とを有し、上記ＡＧＣゲインに対してノイズリダクションの深さを切り替えるパターンが、上記第一及び第二のノイズリダクション回路では異なること」を構成要件としているところ、
　同構成要件は、
　（要件１）「上記輝度信号と上記クロマ信号のノイズを除去する第一及び第二のノイズリダクション回路とを有」すること
  （要件２）「上記第一及び第二のノイズリダクション回路」によるノイズリダクションは、「上記ＡＧＣゲインに対してノイズリダクションの深さを切り替えるパターン」によるものであること
　（要件３）ノイズリダクションの「パターン」が、「上記第一及び第二のノイズリダクション回路では異なること」
  の３要件からなっている。
　
（ｄ１）上記要件１について、本願発明の上記「
上記
　引用発明でも、前掲(K4)によれば、プロセス回路３（本願発明の「カメラ処理回路」に相当することは、既に上記（ｂ）で認定したとおりである。）より出力される輝度信号Ｙはノイズ除去回路１２に供給され、前掲(K6)によれば、ノイズ除去回路１９に供給される信号は、「プロセス回路３」により分離された色差信号Ｒ−Ｙ、Ｂ−Ｙからの信号であるところの色差信号Ｒ−Ｙ、Ｂ−Ｙであるから、
　同「ノイズ除去回路１２」は本願発明の「第一」の「ノイズリダクション回路」に、同「ノイズ除去回路１９」は本願発明の「第二」の「ノイズリダクション回路」にそれぞれ対応するものであって、引用発明も上記要件１である「上記輝度信号と上記クロマ信号のノイズを除去する第一及び第二のノイズリダクション回路とを有し」に相当する構成を備えている。
　
  （ｄ２）上記要件２について
　上記要件２の「上記ＡＧＣゲインに対してノイズリダクションの深さを切り替えるパターン」について、明細書の段落0024，0029，図２に照らしてその具体をみると、
　上記「上記ＡＧＣゲインに対してノイズリダクションの深さを切り替えるパターン」とは、図２のＬ１，Ｌ２，Ｌ３のような、ＡＧＣゲインに対するノイズリダシクョンの深さ（ノイズ除去の効き具合）の関係であって、ＡＧＣゲインに対してノイズリダシクョンの深さ（ノイズ除去の効き具合）が段階的に切り替わっていく態様の関係を指し、このような態様の関係を含んでいることは明らかであるところ、
　引用発明でも、前掲(K5)（特に7頁20行〜8頁7行の記載）によれば、
ＡＧＣ制御信号 CSAGCに対するノイズ除去効果の関係の例示として、ＡＧＣ制御信号 CSAGCのレベルの平均値が０〜１レベル、２〜３レベル、４〜５レベルおよび６〜７レベルとなるに応じてノイズ除去効果が、弱、中、強および最強と段階的に切り替わっていく態様の関係が示されていて、
　そのＡＧＣ制御信号 CSAGCに対応して（ＡＧＣアンプ２の）ＡＧＣゲインが決まるものであるから、上記の
ＡＧＣ制御信号 CSAGC
ＡＧＣゲイン
　したがって、引用発明にも、本願発明でいう上記「上記ＡＧＣゲインに対してノイズリダクションの深さを切り替えるパターン」に相当するものの存在が認められる。
　そして、引用発明も、上記第一及び第二のノイズリダクション回路（ノイズ除去回路１２とノイズ除去回路１９）によるノイズリダクションは、そのようなパターンによるものであることは明らかである。
　
　（ｄ３）上記要件３について
　前掲(K6)の「この色復調回路１８からの色差信号Ｒ−Ｙ、Ｂ−Ｙはノイズ除去回路１９に供給される。このノイズ除去回路１９は、上述したノイズ除去回路１２と同様に構成され、その係数器の係数はコントローラ１４によって
同様に
　前掲(K5)の「上述したノイズ除去回路１２の係数器１２ｆの係数、したがってノイズ除去効果は、このように検出された照度に基づきコントローラ１４によって制御される。例えば、ＡＧＣ制御信号 CSAGCのレベルの平均値が０〜１レベル、２〜３レベル、４〜５レベルおよび６〜７レベルのとき、それぞれノイズ除去効果は弱、中、強および最強とされる。」を指していることは明らかであるところ、
　その「同様」とは、上記（輝度信号用の）ノイズ除去回路１２で、一例として例示された制御の態様において、平均値の値である０〜１，２〜３，４〜５，６〜７レベルのその具体的値まで「全く同一」であることまで意味するのか否かについては明確でなく断定はできないものの、
　引用発明の、（色差信号用の）ノイズ除去回路１９（本願発明でいう「第二のノイズリダクション回路」）も、
（輝度信号用の）ノイズ除去回路１２（本願発明でいう「第一のノイズリダクション回路」）と「同様」な、ＡＧＣゲイン（ＡＧＣ制御信号 CSAGC）に対するノイズ除去効果の関係の態様、すなわち、本願発明でいう「ＡＧＣゲインに対してノイズリダクションの深さを切り替えるパターン」を有しているといえる。
　すなわち、引用発明では、ノイズ除去回路１２（本願発明でいう「第一のノイズリダクション回路」）とノイズ除去回路１９（本願発明でいう「第二のノイズリダクション回路」）の、本願発明でいう「ＡＧＣゲインに対してノイズリダクションの深さを切り替えるパターン」）は、その具体まで全く同一のものか否かは明確でなく断定できないものの「同様」とされており、
　その点、少なくとも、同「パターンが第一のノイズリダクション回路及び第二のノイズリダクション回路では異なる」とした本願発明とは相違している。
　
［３］．一致点・相違点 
 
　以上の対比結果によれば、本願発明と引用発明との一致点および相違点は次のとおりであることが認められる。
　
《一致点》 
　「撮像素子からの撮像信号を輝度信号とクロマ信号に分離するカメラ処理回路と、
　信号レベルを検出して露光制御信号を形成し、上記露光制御信号に応じてＡＧＣゲインを制御する露光制御回路と、
　上記輝度信号と上記クロマ信号のノイズを除去する第一及び第二のノイズリダクション回路とを有し、
　上記第一及び第二のノイズリダクション回路によるノイズリダクションは、上記ＡＧＣゲインに対してノイズリダクションの深さを切り替えるパターンによるもの
　であるビデオカメラのノイズ除去装置」
　
《相違点》
　
［相違点１］
　本願発明の露光制御回路が、撮像信号から分離された輝度信号の信号レベルを検出して露光制御信号を形成し、上記露光制御信号に応じてＡＧＣゲインを制御するとしたに対して、
　引用発明の露光制御回路が、（輝度信号とクロマ信号に分離する前の）撮像信号の信号レベルを検出して露光制御信号を形成し、上記露光制御信号に応じてＡＧＣゲインを制御するＡＧＣゲインを制御する点
　
　すなわち、
　ＡＧＣゲインを制御する制御信号形成のために検出する信号レベルが、
　本願発明では、前記輝度信号の信号レベル、すなわち、撮像信号から分離された輝度信号の信号レベルである、のに対して
　引用発明では、（輝度信号とクロマ信号に分離する前の）撮像信号の信号レベルである点
　
［相違点２］
　ＡＧＣゲインに対してノイズリダクションの深さを切り替えるパターンが、
　本願発明では、第一及び第二のノイズリダクション回路では異なるとしたのに対して、
　引用発明では、第一及び第二のノイズリダクション回路で同様であり異なるとはしていない点
　
　すなわち、
　ＡＧＣゲインに対してノイズリダクションの深さを切り替えるパターンが、
　本願発明では、輝度信号のノイズリダクション回路とクロマ信号のノイズリダクション回路とでは異なるとしたのに対して、 
　引用発明では、輝度信号のノイズリダクション回路とクロマ信号のノイズリダクション回路とで同様としていて異なるとはしていない点
　
［４］．相違点の判断等
　
 ［４−１］そこで、以下、上記相違点について検討する。
　
　［相違点１］について 
　ＡＧＣゲインを制御する制御信号形成のために検出する信号レベルを、撮像信号から分離された輝度信号の信号レベルとすることは、本願出願前周知のことにすぎない｛例えば、下記［４−３］周知例１〜３等参照｝。
　したがって、引用発明では、輝度信号クロマ信号分離前の撮像信号の信号レベルを検出するとした露光制御回路を、上記周知事項にすぎない、撮像信号から分離された輝度信号の信号レベルを検出する構成とすることは、当業者が容易に想到し得ることである。
　
　［相違点２］について 
　引用発明でも、ＡＧＣゲインに対してノイズリダクションの深さを切り替えるパターンによるノイズリダクションを行うノイズリダクション回路として、輝度信号用の回路とクロマ信号用の回路とを独立に配している。
　この場合、その両回路に設定する上記ノイズリダクションの深さを切り替えるパターンとしては、同一のものとするか、異なるものとするかの二者択一であってそれ以外の選択肢はないところ、
　一般的にいえば、輝度信号とクロマ信号とでは、信号の特徴やノイズののり方，ノイズの目立ちやすさ等が同一ではなく異なるものといえ、上記のようなノイズリダクション手法についての同一か異なるものと設定するかの二者択一の選択をする場合、回路構成上の制約等がなければ、当業者であれば、異なるものと設定することの方がむしろ自然であるといえ、
　また、一般に、輝度信号のノイズリダクションとクロマ信号のノイズリダクションをそれぞれに適した異なる態様とすることは、周知事項｛例えば、下記［４−３］周知例４，５等参照｝にすぎない。
　そして、引用発明においても、クロマ信号の、ＡＧＣゲインに対してノイズリダクションの深さを切り替えるパターンを、輝度信号のそれと異なるようにすることを困難とする特段の事情もないのである。
　そうすると、引用発明における、クロマ信号の、ＡＧＣゲインに対してノイズリダクションの深さを切り替えるパターンを、輝度信号のそれと単に異なるものとすることは、当業者が容易に想到し得ることである。
　
［４−２］まとめ・効果等 
　以上のように、相違点１に係る本願発明の構成も、相違点２に係る本願発明の構成もいずれも容易想到でない格別のこととはいえないし、これらの点を総合し各相違点の構成を共に採用することも、それを困難とする特段の事情もなく格別のこととはいえないし、それにより、格別の作用をなすものでもない。
　本願発明の効果も、刊行物１および上記周知技術からから予測することができる程度のものにすぎない。 
 
［４−３］周知例　　
　　　　　　　　　記（周知例１〜５）
　周知例１：特開平０５−１９１７１９号公報（原査定で刊行物２として提示済み）
　図６におけるＡＧＣ測光回路１６は、ＡＧＣ・γ回路６で分離された輝度信号を検出してＡＧＣ・γ回路６のＡＧＣゲインを制御していることは明らかである。
　
　周知例２：特開平０２−２７４１８１号公報
　「実際にはＡＧＣ回路８には、あとで説明する低域フィルタ９の出力がフィードバックされており、ＡＧＣ回路８はこの信号のレベルを検出することによって入射光量を検出し利得制御を行っている。・・・（中略）・・・ＬＰＦ９は、ＡＧＣ回路８からの画像信号からそれに含まれる輝度信号ＹＨを抽出する。」（図５、2頁右下欄18行〜同頁左下欄11行）
　
　周知例３：特開平５−６８２００号公報
  「Ｙ／Ｃ分離回路７はプリアンプ４の出力を輝度信号と色信号に分離し、輝度信号はＡＧＣ回路９に、色信号はホワイトバランス回路８を介してＡＧＣ回路９に供給される。ホワイトバランス回路８は色信号のホワイトバランスを調整する。ＡＧＣ回路９は、輝度及び色信号を増幅する。また、検波回路１０は、ＡＧＣ回路９のＹ．ＡＧＣ出力（輝度信号）を検波しＡＧＣ回路９にフィードバックする。ＡＧＣ回路９はこれに応じて輝度及び色信号の増幅利得を制御するため、検波回路１０が一定レベルに保たれることになる。」（図２、段落0003）
　
　周知例４：特開平０２−２１７８０号公報
　「しかし次のような短所もある。輝度信号と色信号との雑音低減回路が共通化されているために、各々の信号に対するノイズリダクションの最適レベルを得ることができず、妥協した雑音低減特性にせざるを得ない。また入力信号の特性により輝度信号と色信号とのノイズリダクションレベルの組合わせを変えることができない。
　（発明が解決しようとする課題）
　上記したように従来の雑音低減回路は、輝度信号と色信号とのノイズリダクションレベルを各々の信号に適した最適レベルにしたり、独立に変更設定することができない。このために雑音低減特性を輝度信号と色信号とのＳ／Ｎを見て妥協できる特性までしか改善できない。
　そこでこの発明は、わずかな付加回路により輝度信号と色信号とのノイズリダクションレベルを各々の信号に対して最適なレベルにすることができ、かつ各々の信号に対して独立して設定または変更できる映像信号の雑音低減装置を提供することを目的とする。」（２頁右下欄１１行〜３頁左上欄１０行）
　「この発明によれば、わずかな付加回路により輝度信号と色信号とのノイズリダクションレベルを各々の信号に対して最適なレベルにすることができ、かつ各々の信号に対して独立して設定または変更でき、出力映像信号のＳ／Ｎを一層良好なものとすることができる。」（5頁左下欄17行〜同頁右上欄2行）
　
　周知例５：特開平１−７１２８７号公報
　「本発明は、上記目的を達成するために、かかる作用をなすノイズリデューサをノイズ低減部として輝度信号、色信号毎に設け、かつ輝度信号をノイズ低減処理する第１のノイズ低減部のフィールドメモリの出力信号と入力輝度信号とからフィールド相関を検出し、その相関量に応じて該第１のノイズ低減部と色信号をノイズ低減処理する第２のノイズ低減部との帰還量を制御する。・・・（中略）・・・
　輝度信号は広帯域信号であり、色信号は狭帯域信号であるから、これら信号のフィールド相関には差があり、輝度信号は画像の動きに対してフィールド相関が影響されやすく、色信号は比較的フィールド相関が高い。そこで、輝度信号、色信号毎にノイズ低減部を設けることにより、夫々に対して独立にかつ最適に帰還量を設定できるようにしている。」（2頁左下欄17行〜3頁左上欄11行）
　「輝度信号は広帯域信号であるために、画像の動きに対してフィールド相関性が低くなるが、色差信号は狭帯域信号であるために、フィールド相関性が高い。したがって、輝度信号、色差信号夫々に対する帰還量を独立に最適となるように設定する。」（図１，５、4頁右上欄20行〜同頁左下欄5行）
　
　
［５］．査定の検討のまとめ 
 　したがって、本願発明は、刊行物１に記載された発明および周知技術に基づいて当業者が容易に発明をすることができたものである。 
 　 
 【第５】むすび 
 　以上、本願の請求項１に係る発明は、刊行物１に記載された発明および周知技術に基づいて当業者が容易に発明をすることができたものであるから、特許法第２９条第２項の規定により特許を受けることができない。 
　
　したがって、本願は拒絶をすべきものである。 
　
 　よって、結論のとおり審決する。